(57)【要約】【課題】マッサージ具の正弦曲線形状または余弦曲線形状の凸湾部または凹湾部を身体に当てるだけでマッサージ効果を出す。ステッキの縦棒を握っても、下方に向かって滑ることがない。【解決手段】棒部２の正弦波の凸湾部３、３は、例えば左右の肩、左右の腰等を同時に均等に押圧し、左右の背中を同時に均等にスライドマッサージする。裏返した凹湾部４、４は、例えば左右の大腿部、首等をスライドマッサージする。握り部５の向きを変えて別の棒部１７を棒部２に連結すると、マッサージ具１はステッキ１１となる。【選択図】図３
2007125123.tif 000002
【特許請求の範囲】
【請求項１】
ほぼ１周期以上の長さのほぼ正弦曲線形状またはほぼ余弦曲線形状をなし、この正弦曲線形状または余弦曲線形の部分を身体に当てる棒部を備えたことを特徴とするマッサージ具。
【請求項２】
上記正弦曲線形状またはほぼ余弦曲線形状の凸湾部は身体の凹状の部分または平坦な部分に当てられ、正弦曲線形状または余弦曲線形状の凹湾部は身体の凸状の部分または平坦な部分に当てられることを特徴とする請求項１記載のマッサージ具。
【請求項３】
上記正弦波形状または余弦曲線形状の周期の長さは、人間の左右両大腿部の中心の間隔にほぼ等しい、下腿部のほぼ中心の間隔にほぼ等しい、左右肩のほぼ中央の間隔にほぼ等しい、左右乳首の間隔にほぼ等しい、背中の左右両背筋のほぼ中央の間隔にほぼ等しい、左右臀部のほぼ中央の間隔にほぼ等しいことを特徴とする請求項１または２記載のマッサージ具。
【請求項４】
上記正弦波形状または余弦波形状の曲率半径は、人間のマッサージする部位の表面の曲率半径の０．５倍乃至２倍である、またはやや小さい、またはほぼ等しいことを特徴とする請求項１、２または３記載のマッサージ具。
【請求項５】
ほぼ１周期以上の長さのほぼ正弦曲線形状またはほぼ余弦曲線形状をなす棒部と、この棒部の上端に連結される握り部とを備えたことを特徴とするステッキ。
【請求項６】
上記正弦曲線形状または余弦曲線形状の周期は１周期から２周期の間の長さ、または２周期以上の長さ、２周期から３周期の間の長さ、または３周期以上の長さであることを特徴とする請求項１、２、３、４または５記載のマッサージ具またはステッキ。
【請求項７】
上記請求項５または６のステッキを兼用した、上記請求項１乃至４記載のマッサージ具。
【発明の詳細な説明】
【技術分野】
【０００１】
本発明は、マッサージ具及び／またはステッキに関する。
【背景技術】
【０００２】
従来のマッサージ具は、突起物を備えた器具を使い、この突起物をマッサージしたい箇所に当ててこりをほぐしたりしていた。また、従来のステッキは、長いまっすぐな縦棒の上端に握り部を連結する形となっていた。
【０００３】
【特許文献１】実開平６−５８９４４号公報
【特許文献２】実開平６−３１７３７号公報
【特許文献３】特開平８−２０６１６５号公報
【発明の開示】
【発明が解決しようとする課題】
【０００４】
上記従来のマッサージ具には突起物が必要なため構造が複雑になり、製造に時間と費用がかかっていた。例えば、棒部に突起物を連結するには、棒部にねじ込み穴を形成し、突起物にねじ込み突起を形成し、このねじ込み突起をねじ込み穴に螺合することによって、棒部に突起物を連結していた。
【０００５】
上記従来のステッキの縦棒は直線的なので、この縦棒を握ることができず、たとえ握っても握った手が滑って危険であった。特に、雨の日などで、ステッキが濡れていると、このような危険はより増していた。
【課題を解決するための手段】
【０００６】
上記目的を達成するために、本発明は、ほぼ一周期以上の長さのほぼ正弦曲線形状またはほぼ余弦曲線形状をなし、この正弦曲線形状または余弦曲線形の部分を身体に当てる棒部を備えた。
【０００７】
また、本発明は、ほぼ一周期以上の長さのほぼ正弦曲線形状またはほぼ余弦曲線形状をなす棒部と、この棒部の上端に連結される握り部とを備えた。
【発明の効果】
【０００８】
これにより、マッサージ具の正弦曲線形状または余弦曲線形状の凸湾部を身体に当てるだけでマッサージ効果を出すことができる。また、正弦曲線形状または余弦曲線形状の凹湾部を身体の凸状の部分または平坦な部分に当てることもでき、湾曲部分の凸湾部だけでなく凹湾部でもマッサージを行うことができる。
【０００９】
また、これにより、ステッキの縦棒を湾曲させることができ、縦棒を握っても、下方に向かって滑ることがなく、縦棒を手で握っても危険がなく安全になる。
【発明を実施するための最良の形態】
【００１０】
（１）マッサージ具１
図１及び図２はマッサージ具１の側面を示す。この図面はマッサージ具１の一部のみを示すのもで、実際には上下に連続している。このマッサージ具１は、木製であり、例えばタモ材の集成材からなる。他にその他の木材、むく材でもよく、ステンレス製、チタン製、アルミ製、その他の金属製、樹脂製、セラミック製、コンクリート製、またはこれらの複合体でもよい。この場合、中心にこれらのうち硬質の材料を用い、表面にこれらのうち軟質で摩擦係数の大きいまたは小さい材料を被覆してもよい。
【００１１】
このマッサージ具１の棒部２は円柱状であり、外径（太さ）は例えば３４ｍｍであり、成人がちょうど握るのに最適な太さとされる。棒部２が円筒状の場合は、内径は例えば２８ｍｍである。マッサージ具の使用者が未成人・障害者ならばこれに応じて外形も変更される。この棒部２は、他に円筒状、角柱状、角筒状、板状などでもよい。
【００１２】
この棒部２は、正弦曲線形状（「余弦曲線形状」も含む。以下同じ）をなしており、この正弦波の周期は棒部２の中心において２８３ｍｍであり、正弦波の振幅は棒部２の中心において２６ｍｍである。この正弦波の曲率半径は棒部２の中心において９３ｍｍ、棒部２の外側において１１０ｍｍ、棒部２の内側において７６ｍｍである。
【００１３】
この棒部２の正弦波形状の凹凸において、図１の上方に突出している部分を凸湾部３、下方に突出している部分（右方に凹んでいる部分）を凹湾部４という。凸湾部３の右半分を右凸湾部３ａ、凸湾部３の左半分を左凸湾部３ｂ、凹湾部４の右半分を右凹湾部４ａ、凹湾部４の左半分を左凹湾部４ｂという。
【００１４】
この正弦波の山と谷との間、つまり凸湾部３と凹湾部４との間、言い換えれば左凸湾部３ｂと右凹湾部４ａとの間、及び右凸湾部３ａと左凹湾部４ｂとの間には直線部６が形成されている。この直線部６の長さは５０乃至１５０ｍｍ、例えば９３ｍｍまたは１３０ｍｍであり、マッサージ具１の使用用途・使用状態によって、この直線部６の長さは変更される。これにより、上記滑り難くする握りの長さを変えることができる。
【００１５】
この棒部２の正弦波の長さ、つまり周期の数は、ほぼ２周期であるが、１周期の長さ、１周期以上の長さ、１周期から２周期の間の長さ、２周期の長さ、２周期以上の長さ、２周期から３周期の間の長さ、または３周期以上の長さでもよい。この正弦波に湾曲した棒部２の凸湾部３または／及び凹湾部４が身体に当てられマッサージ／指圧がなされる。
【００１６】
上記棒部２の両端には握り部５、５が形成されている。この握り部５、５では、正弦波状に湾曲している棒部２が湾曲され、マッサージ具１全体の長手方向に沿って真っ直ぐ直線状に延びている。この握り部５、５を両手または片手で握ってマッサージ／指圧がなされる。この握り部５、５は省略されてもよい。
【００１７】
（２）マッサージ具１の各寸法の意義
上述のようにこの正弦波の周期の長さは２８３ｍｍであり、この長さは、成人の左右両大腿部の中心の間隔にほぼ等しく、この間隔は、下腿部のほぼ中心の間隔、左右肩のほぼ中央の間隔、左右乳首の間隔、背中の左右両背筋のほぼ中央の間隔、左右臀部のほぼ中央の間隔などにほぼ等しい。
【００１８】
これにより、これらの箇所を棒部２の一対の凸湾部３、３で、体の上記左右の同じ部位を同時に並行してマッサージ／指圧することができる。なお、マッサージ／指圧をされる人間が、男性、女性、成人、子供など、体の大きさが変わればこれに応じて、正弦波の周期の長さや、その他の寸法は変更される。このようなマッサージは、上記周期の長さを変えて、他に腰の左右部位、左右上腕、左右前腕、左右臀部、左足右手、左足右足などに対して行ってもよい。
【００１９】
しかし、正弦波の湾曲特性は多少の体の大きさの変更でもかなり対応・吸収できるものである。正弦波の湾曲特性は、突起のように突出するものではなく、湾曲して緩やかに突出するまたは凹むからである。
【００２０】
上述のように、この正弦波の曲率半径は棒部２の中心において９３ｍｍ、棒部２の外側において１１０ｍｍ、棒部２の内側において７６ｍｍであり、この曲率曲線は、成人の大腿部の表面の曲率曲線にほぼ等しいかより小さく、成人の下腿部の後ろ側の表面の曲率曲線にほぼ等しいかより小さく、成人の首の後ろ側の表面の曲率曲線にほぼ等しいかより小さい。
【００２１】
これにより、大腿部、下腿部の後ろ側、首の後ろ側をマッサージ／指圧するのに都合がよい。マッサージする部位の曲率半径よりマッサージ棒１の棒部２の内側の曲率半径が小さいと、部位全体に力を分散させてマッサージ／指圧することができる。マッサージする部位の曲率半径よりマッサージ棒１の棒部２の内側の曲率半径が大きいと、部位の中心に力を集中させてマッサージ／指圧することができる。
【００２２】
マッサージする部位の曲率半径がマッサージ棒１の棒部２の内側の曲率半径にほぼ等しいと、上述の分散と集中の中間の状態でマッサージ／指圧することができる。これらの、どれを選ぶかはマッサージを受ける人間の好みによる。
【００２３】
大体において、上記棒部２の内側の正弦波形状の曲率半径は、感触、快感、痛みなどの見地から、人間のマッサージする部位の表面の曲率半径の０．５倍乃至２倍が望ましく、より望ましくは０．６倍乃至１．７倍、さらに望ましくは０．７倍乃至１．４倍、またさらに望ましくは０．８倍乃至１．１倍となる。
【００２４】
しかし、場合によって、人間のマッサージする部位の表面の曲率半径の０．４倍乃至２．５倍、０．３倍乃至３倍、０．２倍乃至４倍、…などでもよい。なお、マッサージ／指圧をされる人間が、男性、女性、成人、子供など、体の大きさが変われば、これに応じて、このような曲率半径や、その他の寸法は変更される。このようなマッサージは、上記曲率半径を変えて、他に上腕、前腕、臀部、わき腹、肩、手、足、腰などに対して行ってもよい。
【００２５】
（３）マッサージ具１の使用方法
図３〜図６は上記マッサージ具１の使用方法を示す。図３は大腿部をマッサージする例を示す。握り部５、５それぞれを両手で握り、凹湾部４、４、を左右両大腿部に当てて上下又は前後に往復スライドさせるかやや強く押し当てる。
【００２６】
これにより、両大腿部の表面の曲面に凹湾部４、４の内側の曲線がほぼフィットし、さらに凹湾部４、４の間隔(周期)が両大腿部の間隔にほぼ一致し、両大腿部の間隔を無理に広げたり閉じたりせずに、苦痛のないここちよいマッサージを行うことができる。
【００２７】
なお、片方の大腿部のみにマッサージ具１の凹湾部４をやや強く押し当てるか上下または前後に往復スライドさせるか回転させるように大腿部の曲面に沿ってスライドさせてもよい。また、両大腿部にマッサージ具１の凸湾部３、３をやや強く押し当てるか上下または前後に往復スライドさせてもよい。
【００２８】
図４は首をマッサージする例を示す。握り部５、５それぞれを両手で握り、中央の凹湾部４を首の後ろ側に当ててやや強く押し当てるか上下に往復スライドさせるか回転させるように首の曲面に沿ってスライドさせる。
【００２９】
これにより、首の表面の曲面に凹湾部４の内側の曲線がほぼフィットし、苦痛のないここちよいマッサージを行うことができる。なお、首の後ろ側にマッサージ具１の凸湾部３をやや強く押し当てるか上下に往復スライドさせるか回転させるように首の曲面に沿ってスライドさせてもよい。
【００３０】
図５は肩をマッサージする例を示す。握り部５、５それぞれを両手で握り、凸湾部３、３を左右両肩に当ててやや強く押し当てるか上下又は前後に往復スライドさせる。これにより、両肩の表面に凸湾部３、３が当接し、さらに凸湾部３、３の間隔(周期)が両肩の間隔にほぼ一致し、両肩の間隔を無理に広げたり閉じたりせずに、苦痛のないここちよいマッサージを行うことができる。
【００３１】
なお、片方の肩のみにマッサージ具１の凸湾部３をやや強く押し当てるか上下または前後に往復スライドさせるか回転させるように大腿部の曲面に沿ってスライドさせてもよい。また、片方の肩のみにマッサージ具１の凹湾部４をやや強く押し当てるか上下または前後に往復スライドさせるか回転させるように大腿部の曲面に沿ってスライドさせてもよい。
【００３２】
図６は腰をマッサージする例を示す。握り部５、５それぞれを両手で握り、凸湾部３、３を、背骨を挟んだ腰の左右両位置に当ててやや強く押し当てるか上下又は前後に往復スライドさせる。これにより、背骨を挟んだ腰の両位置の表面に凸湾部３、３が当接し、さらに凸湾部３、３の間隔(周期)が背骨を挟んだ腰の両位置の間隔にほぼ一致し、背骨を挟んだ腰の両位置の間隔を無理に広げたり閉じたりせずに、苦痛のないここちよいマッサージを行うことができる。
【００３３】
なお、背骨を挟んだ腰の片方の位置のみにマッサージ具１の凸湾部３をやや強く押し当てるか上下または前後に往復スライドさせるか回転させるように腰から脇腹の曲面に沿ってスライドさせてもよい。また、左右のうちの片方の腰から脇腹のみにマッサージ具１の凹湾部４をやや強く押し当てるか上下または前後に往復スライドさせるか回転させるように腰から脇腹の曲面に沿ってスライドさせてもよい。
【００３４】
上記腰にマッサージ具１を押し当てる場合、椅子の背もたれ部分と腰との間に、マッサージ具１を挟みこむようにすることができる。この場合、背骨を挟む腰の両位置に２つの凸湾部３、３が当たる向きにしてもよいし、裏返して逆向きして、腰の中央の背骨位置に１つの凸湾部３が当たる向きにしてもよい。これにより、椅子に座ったとき腰の位置を矯正して姿勢を良くすることができる。
【００３５】
以上のほか、以下のような種々のマッサージを行うことができ、マッサージ方法はどのような状態でもよい。例えば、背骨を挟んだ腰の両位置から両肩にかけての背中の任意の位置をマッサージ具１の凸湾部３、３をやや強く押し当てるか上下または前後に往復スライドさせてもよい。また、握り部５、５を両手で握ったまま両腕を上または前などへ伸ばし、マッサージ具１を左右に振るようにして、上半身を左右に振って、脇腹を伸ばすようにしてもよい。
【００３６】
以上のように、正弦曲線形状（余弦曲線形状）の凸湾部３は身体の凹状の部分、凸状の部分または平坦な部分に当てられ、正弦曲線形状（余弦曲線形状）の凹湾部４は身体の凸状の部分、凹状の部分または平坦な部分に当てられる。
【００３７】
（４）ステッキ１１
図７及び図８はステッキ１１を示す。このステッキ１１は上記マッサージ具１を若干変更して転用され、マッサージ具１とステッキ１１とが兼用される。上記握り部５の付け根と棒部２の端とには回動軸１２が貫通され、握り部５が棒部２に対して軸支され、棒部２に対して握り部５の向きが変えられるようになっている。この握り部５の向きの変更方向は、棒部２の正弦波の湾曲面と一致していて、握り部５の方向と正弦波の湾曲方向とは一致している。
【００３８】
この握り部５の内部中心には長手方向に沿って固定ねじ１３が貫通しており、上記回動軸１２の側面にはねじ穴１４が２つ形成されている。この２つのねじ穴１４、１４には、上記固定ねじ１３が螺合固定または緩脱取外し可能となっている。
【００３９】
この２つのねじ穴１４、１４は回動軸１２の中心に対して互いに直角をなす方向に位置し、棒部２に対して握り部５の向きを変えて、固定ねじ１３をねじ穴１４、１４のいずれかに螺合固定することによって、棒部２に対して握り部５の向きを直角に変えることができるようになっている。
【００４０】
マッサージ具１として使用するときには、握り部５の向きを棒部２の長手方向に沿うように向きを変え、ステッキ１１として使用するときには、握り部５の向きを棒部２の長手方向に直角方向に沿うように向きを変える。
【００４１】
上記棒部２の他の端の握り部５の内部中心にはねじ穴の連結穴１５が形成され、また他の棒部１７の端から内部へかけての中央にもねじ穴の連結穴１６が形成され、これら２つの棒部２、１７の連結穴１５、１６は互いにねじ棒の連結棒１８によって螺合固定及び緩脱取外し可能で着脱自在に連結結合固定される。
【００４２】
これにより、棒部２の長さをステッキ１１に最適な長さまで長くできる。連結される棒部１７は、上記棒部２のように正弦波状に１周期以上の長さで湾曲していても良いし、直線状に真っ直ぐでもよい。これにより、正弦曲線形状（余弦曲線形状）の周期は１周期から２周期の間の長さ、または２周期以上の長さ、２周期から３周期の間の長さ、または３周期以上の長さとなる。
【００４３】
このようなステッキ１１は棒部２が正弦波状に湾曲しているので、階段や段差を登るとき、ステッキ１１の長さが長すぎるとき、棒部２（縦棒）の正弦波状の凸湾部４と凹湾部５との間の直線部６を握っても、下方に向かって滑ることがなく、棒部２（縦棒）を手で握っても危険がなく安全になる。
【００４４】
（５）他の実施の形態
本発明は、上記実施例に限定されず、種々変更可能である。例えば、上記握り部５は向きを変えるのではなく、マッサージ具１用の握り部５とステッキ１１用の握り部５とが付け替えられてもよい。この場合、棒部２の上端の内部中心に沿って形成されたねじ穴内に、握り部５に突設されたねじ棒が着脱自在に螺合固定される。または、握り部５はキャップ状とされ、棒部２、１７の端にかぶせられて着脱自在に固定されても良い。
【００４５】
また、ステッキ１１の下端の内部中央にはねじ穴が形成され、このねじ穴に接地キャップに突設されたねじ棒が着脱自在に螺合固定されてもよい。この接地キャップはアルミ、チタン等の金属製、磨耗しにくい強化ゴム製、強化樹脂製などからなる。このような接地キャップは、ステッキ１１の下端の内部から出没可能として、没状態と出状態とで固定されてもよい。または、接地キャップはキャップ状とされ、棒部２、１７の端にかぶせられて着脱自在に固定されても良い。
【００４６】
さらに、上記マッサージ具１または／およびステッキ１１の棒部２、１７の側面に沿って溝が形成され、この溝内にゴム紐、樹脂紐などが埋め込まれ、滑り止めとされても良い。また、上記マッサージ具１または／およびステッキ１１の棒部２、１７、握り部５の表面の全体または一部に微小突起が多数設けられても良い。
【００４７】
このような微小突起は、滑り止めとなるし、マッサージ効果の向上ともなる。このような微小突起は、棒部２、１７、握り部５と同じ素材でもよいし、異なる素材が固着されてもよい。このような微小突起は、アルミ、チタン、ゲルマニウム、ステンレス、強化樹脂、強化ゴム、木材などからなる。
【００４８】
湾曲形状は、円弧状、楕円弧状など、ほぼ正弦波状であれば、正弦波以外でもよい。また、正弦波の振幅、周期、曲率半径、直線部７の長さ／大きさ、周期(波)の数といった、正弦波(余弦波)の各要素の寸法は任意に変更可能である。
【００４９】
上記マッサージ具１または／およびステッキ１１の棒部２、１７、握り部５の全体素材または表面部分の素材は、紫鉱石、蛍光素材、反射塗料などからなっていてもよい。これにより、夜間などでも目につき、事故が防げる。
【００５０】
また、上記右凸湾部３ａ、左凸湾部３ｂ、右凹湾部４ａ、左凹湾部４ｂのうちいずれか１つまたは２つ、３つが省略され、残りの正弦波形状で棒部２、１７が形成されてもよい。さらに、凸湾部３、凹湾部４のいずれか一方が省略され、片方だけで棒部２、１７が形成されてもよい。またさらに、直線部６も一部または全部省略されてもよい。さらにまた、マッサージ具１の握り部５、５の一方または両方、ステッキ１１の握り部５は省略されてもよい。
【００５１】
上記正弦波形状（余弦曲線形状）の周期の長さは、人間の左右両大腿部の中心の間隔にほぼ等しい、下腿部のほぼ中心の間隔にほぼ等しい、左右肩のほぼ中央の間隔にほぼ等しい、左右乳首の間隔にほぼ等しい、背中の左右両背筋のほぼ中央の間隔にほぼ等しい、左右臀部のほぼ中央の間隔にほぼ等しいが、これ以外の長さに等しくてもよい。例えば、肩と腰との間隔、肩と腰との間隔、腰と臀部との間隔、大腿部と下腿部との間隔、左右の肩甲骨の内側の間隔など任意の長さに選ばれる。
【００５２】
上記握り部５の９０度の向きの変え方は、上記固定ねじ１３、ねじ穴１４のほか、回動軸１２付近を所定角度の状態で外側から固定する固定キャップなどが用いられてもよいし、棒部２の端に９０度向きのずれたねじ穴が形成され、一方握り部５の根元にねじ突起が設けられ、このねじ突起が当該９０度向きのずれたねじ穴の何れかに螺合固定されてもよい。
【００５３】
上記マッサージ具１の使用するときの向きは水平方向のほか、垂直方向でもよいし、斜め方向でもよい。また同じ形状・大きさまたは異なる形状・大きさのマッサージ具１を複数用意して、これらを組み合わせて複合的なマッサージを行ってもよい。ステッキ１１において棒部２の長さが十分であれば棒部１７は省略されてもよい。
【００５４】
（６）他の発明の効果
[１]ほぼ１周期以上の長さのほぼ正弦曲線形状またはほぼ余弦曲線形状をなし、この正弦曲線形状または余弦曲線形の部分を身体に当てる棒部を備えたことを特徴とするマッサージ具。
【００５５】
これにより、マッサージ具の正弦曲線形状または余弦曲線形状の凸湾部を身体に当てるだけでマッサージ効果を出すことができる。また、正弦曲線形状または余弦曲線形状の凹湾部を身体の凸状の部分または平坦な部分に当てることもでき、湾曲部分の凸湾部だけでなく凹湾部でもマッサージを行うことができる。
【００５６】
[２]上記正弦曲線形状またはほぼ余弦曲線形状の凸湾部は身体の凹状の部分または平坦な部分に当てられ、正弦曲線形状または余弦曲線形状の凹湾部は身体の凸状の部分または平坦な部分に当てられることを特徴とする請求項１記載のマッサージ具。これにより、マッサージする人間の体の部位の形状に応じた最適なマッサージを行うことができる。
【００５７】
[３]上記正弦波形状または余弦曲線形状の周期の長さは、人間の左右両大腿部の中心の間隔にほぼ等しい、下腿部のほぼ中心の間隔にほぼ等しい、左右肩のほぼ中央の間隔にほぼ等しい、左右乳首の間隔にほぼ等しい、背中の左右両背筋のほぼ中央の間隔にほぼ等しい、左右臀部のほぼ中央の間隔にほぼ等しいことを特徴とする請求項１または２記載のマッサージ具。これにより、正弦曲線形状またはほぼ余弦曲線形状の２つの凸湾部または２つの凹湾部によって、これら左右の両位置を同時に均等にマッサージできる。
【００５８】
[４]上記正弦波形状または余弦波形状の曲率半径は、人間のマッサージする部位の表面の曲率半径の０．５倍乃至２倍である、またはやや小さい、またはほぼ等しいことを特徴とする請求項１、２または３記載のマッサージ具。これにより、人間のマッサージする部位の表面にフィットしてマッサージを行うことができる。
【００５９】
[５]ほぼ１周期以上の長さのほぼ正弦曲線形状またはほぼ余弦曲線形状をなす棒部と、この棒部の上端に連結される握り部とを備えたことを特徴とするステッキ。正弦曲線形状または余弦曲線形状の湾曲部を握れば、下方に向かって滑ることがなく、手で握っても危険がなく安全になる。
【００６０】
[６]上記正弦曲線形状または余弦曲線形状の周期は１周期から２周期の間の長さ、または２周期以上の長さ、２周期から３周期の間の長さ、または３周期以上の長さであることを特徴とする請求項１、２、３、４または５記載のマッサージ具またはステッキ。これにより、マッサージ具またはステッキを任意の長さにでき、長すぎても正弦曲線形状または余弦曲線形状の湾曲部を握る部位／箇所とすることができる。
【００６１】
[７]上記請求項５または６のステッキを兼用した、上記請求項１乃至４記載のマッサージ具。これにより、マッサージ具をステッキとしても使えるし、ステッキをマッサージ具と
しても使える。
【００６２】
[８]上記握り部を正弦波又は余弦波の棒部の長手方向に沿った方向とこの長手方向と直交する方向とに切換えることを特徴とする請求項１、２、３、４、５、６または７記載のマッサージ具またはステッキ。これにより、マッサージ具の握り部とステッキとの握り部とを兼用／転用できる。
【産業上の利用可能性】
【００６３】
マッサージ具の正弦曲線形状または余弦曲線形状の凸湾部または凹湾部を身体に当てるだけでマッサージ効果を出す。ステッキの縦棒を握っても、下方に向かって滑ることがない。棒部２の正弦波の凸湾部３、３は、例えば左右の肩、左右の腰等を同時に均等に押圧し、左右の背中を同時に均等にスライドマッサージする。裏返した凹湾部４、４は、例えば左右の大腿部、首等をスライドマッサージする。握り部５の向きを変えて別の棒部１７を棒部２に連結すると、マッサージ具１はステッキ１１となる。
【図面の簡単な説明】
【００６４】
【図１】マッサージ具１の棒部２の側面を示す。
【図２】マッサージ具１の握り部５付近の側面を示す。
【図３】マッサージ具１で大腿部をマッサージする例を示す。
【図４】マッサージ具１で首をマッサージする例を示す。
【図５】マッサージ具１で肩をマッサージする例を示す。
【図６】マッサージ具１で腰をマッサージする例を示す。
【図７】ステッキ１１の握り部５付近の側面を示す。
【図８】ステッキ１１の連結部分付近の側面を示す。
【符号の説明】
【００６５】
１…マッサージ具、２…棒部、
３…凸湾部、３ａ…右凸湾部、３ｂ…左凸湾部、
４…凹湾部、４ａ…右凹湾部、４ｂ…左凹湾部、
５…握り部、６…直線部、
１１…ステッキ、１２…回動軸、
１３…固定ねじ、１４…ねじ穴、
１５…連結穴、１６…連結穴、
１７…棒部、１８…連結棒。
【図１】
2007125123.tif 000003
【図２】
2007125123.tif 000004
【図３】
2007125123.tif 000005
【図４】
2007125123.tif 000006
【図５】
2007125123.tif 000007
【図６】
2007125123.tif 000008
【図７】
2007125123.tif 000009
【図８】
2007125123.tif 000010